(57)【要約】【課題】複数の発光色の異なる発光ダイオードを用いた光源装置において発光素子固有の発光効率を考慮した上でホワイトバランスの良い、しかも光利用効率の高い光源装置及び投写型表示装置を提供する。【解決手段】光源アレイ１０１および１０２からの光束を偏光変換手段１０３、１０４で偏光統一後、偏光ビームスプリッター１０５で合成して照明光束として２次元光変調器の照明を行う。２次元光変調器としてはＤＭＤを使用する。光源アレイは１０１、１０２はホワイトバランスが最適となるよう任意の構成比率の発光ダイオードを配備する。【選択図】        図１
2004184777.tif 000002
【特許請求の範囲】
【請求項１】
赤色、緑色、青色、３種類の発光ダイオードが２次元にアレイ状に複数個配置されており、３種類の前記発光ダイオードの数が任意の比率で配置される発光ダイオードアレイを光源とする光源装置であって、
前記光源から照射される光束を偏光統一する偏光変換手段と、
前記偏光変換手段により偏光統一された光束を偏光の種類に応じて透過もしくは反射する偏光分離面を内包し、一方向に光束を合成し、射出する光束合成手段とを有することを特徴とする光源装置。
【請求項２】
前記光束合成手段はワイヤーグリッド型の偏光素子であることを特徴とする請求項１に記載の光源装置。
【請求項３】
前記光束合成手段はＶ字状の偏光分離面を内包することを特徴とする請求項１に記載の光源装置。
【請求項４】
前記光源装置は、前記光源から照射される光束を収束する光束収束手段を有し、
前記光束収束手段は、前記光源と前記偏光変換手段との間に配置されることを特徴とする請求項１に記載の光源装置。
【請求項５】
赤色、緑色、青色、３種類の発光ダイオードが２次元にアレイ状に複数個配置されており、３種類の前記発光ダイオードの数が任意の比率で配置される発光ダイオードアレイを光源とする光源装置と、前記光源から照射される光束を投写用の画像として変調する光束変調手段を有し、前記画像を投写する投写型表示装置であって、
前記光源装置は、前記光源から照射される光束を偏光統一する偏光変換手段と、前記偏光変換手段により偏光統一された光束を偏光の種類に応じて透過もしくは反射する偏光分離面を内包し、一方向に光束を合成し、射出する光束合成手段とを有し、
前記光束変調手段はデジタルミラーデバイス（ＤＭＤ）であることを特徴とする投写型表示装置。
【請求項６】
前記光束合成手段はワイヤーグリッド型の偏光素子であることを特徴とする請求項５に記載の投写型表示装置。
【請求項７】
前記光束合成手段はＶ字状の偏光分離面を内包することを特徴とする請求項５に記載の投写型表示装置。
【請求項８】
前記光源装置は、前記光源から照射される光束を収束する光束収束手段を有し、
前記光束収束手段は、前記光源と前記偏光変換手段との間に配置されることを特徴とする請求項５に記載の投写型表示装置。
【発明の詳細な説明】
【０００１】
【発明の属する技術分野】
本発明は、光源装置及び投写型表示装置に関するものであり、とくに光源に複数の発光ダイオードを用いた光源装置及び投写型表示装置に関する。
【０００２】
【従来の技術】
従来の投写型表示装置は、主に１つの高圧水銀ランプを光源とし、光源からの光束を３つまたは１つの２次元光変調器に照射し、２次元光変調器で変調された画像を投写レンズを用いてスクリーン上に拡大表示をするものであった。光源である高圧水銀ランプは、紫外域から赤外域に渡って発光特性を有する白色ランプであり、この白色光をカラー表示に必要なＲ、Ｇ、Ｂの波長成分のみ選択するダイクロイックミラーや回転式のカラーフィルタ等を用いて２次元光変調器に光を照射している。２次元光変調器としては、透過型や反射型の液晶パネルやディジタルミラーデバイス（ＤＭＤ）等が知られている。この従来の投写型表示装置では、光源に用いられるランプが、通常放物面や楕円面形状の反射鏡と組み合わせて使用されるので比較的大型である。また、光源自体の発熱が大きいこともあり、冷却用のファンを用いて点灯中のランプの温度や２次元光変調器の冷却状態を管理する必要があった。そのため、装置全体を小型、軽量化するのに困難であった。
【０００３】
このような従来の投写型表示装置の欠点を解決するものとして、特許文献１に記載の技術がある。この技術では、光源には高圧水銀ランプではなく、発光ダイオードやレーザーダイオード素子をアレイ状に配置している。そして、個々の光源に１対のフライアイレンズの各要素レンズに対応させた光学系とすることで、個々の発光素子からの光束を２次元光変調器に効率良く照射させるようになっている。また、２次元光変調器は透過型液晶パネルで構成してある。光源に発光ダイオードやレーザーダイオード素子を用いているので、装置全体の小型軽量化、光源の小電力化が達成されるというものである。
【０００４】
またさらに、特許文献２及び３に記載の技術もある。これらの技術では、図８に示すようにＲ、Ｇ、Ｂの発光ダイオードアレイ８０１、８０２、８０３からの光束をクロスダイクロイックプリズム８０７で色合成して、１つの２次元光変調器８０８の照明に使うというもので、発光ダイオードをある程度の数を利用しても照明系をコンパクトにできるという利点がある。
【０００５】
【特許文献１】
特開２００１−２４９４００号公報
【特許文献２】
特開２００２−２４４２１１号公報
【特許文献３】
特開２０００−５６４１０号公報
【０００６】
【発明が解決しようとする課題】
しかしながら、上記の技術例のように発光ダイオードやレーザーダイオードを光源に使用する場合、発光素子単体の輝度不足から明るい投写型表示装置を実用化できないという欠点があった。輝度不足を解消するには、使用する発光ダイオードの数はできるだけ多くするのが望ましい。
【０００７】
特に特許文献２及び３に記載の技術のようにクロスダイクロイックプリズムを利用した構成の場合、Ｒ、Ｇ、Ｂの発光ダイオードを配備する場所が限定されてしまい以下の問題が起こる。
【０００８】
一般に発光ダイオードの発光効率は発光色により異なる。すなわち、同じ系列品種（発光チップサイズ、外形等）の発光ダイオードでも得られる輝度が異なるのである。例えば、日亜化学社製の、高光度タイプの発光ダイオードでは、標準的な光度ランクのもので、赤用（型名ＮＳＰＲ３４６ＢＳ）は０．３０５カンデラ、青用（型名ＮＳＰＢ３４６ＢＳ）は０．５カンデラ、緑用（型名ＮＳＰＧ３４６ＢＳ）では１．７３カンデラとなっている。また、米ルミレッズ社製のＬｕｘｅｏｎシリーズの発光ダイオードは赤用（型名ＬＸＨＬ−ＢＤ０１）は２５ルーメン、青用（型名ＬＸＨＬ−ＢＢ０１）は５ルーメン、緑用（型名ＬＸＨＬ−ＢＭ０１）では２５ルーメンとなっている。このような輝度のばらつきは発光素子の材料その他に起因すると考えられる。
【０００９】
図９に前述したクロスダイクロイックプリズム９０１の外観図を示す。クロスダイクロイックプリズム９０１を用いる場合、Ｒ、Ｇ、Ｂの各チャンネル９０２、９０３、９０４にはできるだけ多くの発光ダイオードを配置するのが理想である。クロスダイクロイックプリズム９０１の入射面の大きさは各チャンネルとも同じである。各チャンネルとも配備できる最大の発光ダイオードを同数とすれば最大の光量を取りだすことができるが、発光ダイオードの光出力は前記発光色毎に異なるので、実際には所定のホワイトバランスを得ようとしたとき、特定の発光色の発光ダイオードが支配的になり、各チャンネルとも同数配備することはできない。もし、同数を配置しても全ての発光ダイオードを最大の光出力が得られる状態で使用することができない。
具体的には、ＮＴＳＣでは、ホワイトを構成するＲ、Ｇ、Ｂ光量比はおおよそ３：６：１とされる。従って、日亜化学製の発光ダイオードではＧ用が１個に対してＲ用が２．８個、Ｂ用が０．５７個という比率で各発光ダイオードを配備する必要がある。Ｇチャンネルに対してＲチャンネルは２．８倍分必要であり、そしてＢチャンネルは０．５６倍で良いということになる。また、米ルミレッズ社のＬｕｘｅｏｎシリーズでは、Ｇ用が１個に対してＲ用が０．５個、Ｂ用が０．８３個という比率である。それゆえ、せっかく、小型化に有利なクロスダイクロイックプリズムを使用しても、各チャンネルに最も効果的な数を配備できないため、光利用効率が不十分であるという欠点があった。
【００１０】
本発明は上記の従来技術の欠点を解決するもので、その目的は、発光ダイオードの発光素子固有の発光効率を考慮した上でホワイトバランスの良い、しかも光利用効率の高い光源装置及び投写型表示装置を提供することにある。そのため各請求項毎に以下に述べる目的を取り上げる。
【００１１】
請求項１に係る発明では、クロスダイクロイックプリズムを使用した光源装置より発光ダイオードの配備が有利になり、理想的なホワイトバランスと、高い光利用効率を実現し、またランダム偏光である発光ダイオードからの光束を偏光統一してさらなる光利用効率の向上を可能にする光源装置を提供することを目的とする。
【００１２】
請求項２に係る発明では、より軽量化することを可能にする光源装置を提供することを目的とする。
【００１３】
請求項３に係る発明では、より小型化することを可能にする光源装置を提供することを目的とする。
【００１４】
請求項４に係る発明では、発光ダイオードをより密に配置することを可能にする光源装置を提供することを目的とする。
【００１５】
請求項５に係る発明では、クロスダイクロイックプリズムを使用した光源装置より発光ダイオードの配備が有利になり、理想的なホワイトバランスと、高い光利用効率を実現し、またランダム偏光である発光ダイオードからの光束を偏光統一してさらなる光利用効率の向上を可能にし、さらに、より明るく演色性の優れた投写画像を得ることを可能にする投写型表示装置を提供することを目的とする。
【００１６】
請求項６に係る発明では、より軽量化され、より明るく演色性の優れた投写画像を得ることを可能にする投写型表示装置を提供することを目的とする。
【００１７】
請求項７に係る発明では、より小型化され、より明るく演色性の優れた投写画像を得ることを可能にする投写型表示装置を提供することを目的とする。
【００１８】
請求項８に係る発明では、発光ダイオードをより密に配置することを可能にし、より明るく演色性の優れた投写画像を得ることを可能にする投写型表示装置を提供することを目的とする。
【００１９】
【課題を解決するための手段】
かかる目的を解決するため、請求項１に記載の発明は、赤色、緑色、青色、３種類の発光ダイオードが２次元にアレイ状に複数個配置されており、３種類の発光ダイオードの数が任意の比率で配置される発光ダイオードアレイを光源とする光源装置であって、光源から照射される光束を偏光統一する偏光変換手段と、偏光変換手段により偏光統一された光束を偏光の種類に応じて透過もしくは反射する偏光分離面を内包し、一方向に光束を合成し、射出する光束合成手段とを有することを特徴とする。
【００２０】
請求項２に記載の発明は、請求項１に記載の発明において、光束合成手段はワイヤーグリッド型の偏光素子であることを特徴とする。
【００２１】
請求項３に記載の発明は、請求項１に記載の発明において、光束合成手段はＶ字状の偏光分離面を内包することを特徴とする。
【００２２】
請求項４に記載の発明は、請求項１に記載の発明において、光源装置は、光源から照射される光束を収束する光束収束手段を有し、光束収束手段は、光源と偏光変換手段との間に配置されることを特徴とする。
【００２３】
請求項５に記載の発明は、赤色、緑色、青色、３種類の発光ダイオードが２次元にアレイ状に複数個配置されており、３種類の発光ダイオードの数が任意の比率で配置される発光ダイオードアレイを光源とする光源装置と、光源から照射される光束を投写用の画像として変調する光束変調手段を有し、画像を投写する投写型表示装置であって、光源装置は、光源から照射される光束を偏光統一する偏光変換手段と、偏光変換手段により偏光統一された光束を偏光の種類に応じて透過もしくは反射する偏光分離面を内包し、一方向に光束を合成し、射出する光束合成手段とを有し、光束変調手段はデジタルミラーデバイス（ＤＭＤ）であることを特徴とする。
【００２４】
請求項６に記載の発明は、請求項５に記載の発明において、光束合成手段はワイヤーグリッド型の偏光素子であることを特徴とする。
【００２５】
請求項７に記載の発明は、請求項５に記載の発明において、光束合成手段はＶ字状の偏光分離面を内包することを特徴とする。
【００２６】
請求項８に記載の発明は、請求項５に記載の発明において、光源装置は、光源から照射される光束を収束する光束収束手段を有し、光束収束手段は、光源と偏光変換手段との間に配置されることを特徴とする。
【００２７】
【発明の実施の形態】
以下、本発明の実施の形態を図面を参照して説明する。
【００２８】
（第１の実施の形態）
図１は光源装置の第１の実施の形態を示す図である。図１において、１０１および１０２は複数の発光ダイオードが平面的に配列されたアレイである。また、１０３および１０４は偏光変換手段である。１０５は偏光ビームスプリッタである。
【００２９】
発光ダイオードのアレイ１０１、１０２から発せられるランダム偏光光は、偏光変換手段１０３、１０４によりＰ偏光またはＳ偏光に偏光統一されて偏光ビームスプリッタ１０５に入射する。発光ダイオードのアレイ１０１からのＳ偏光光に統一された光束は偏光ビームスプリッタ１０５の偏光分離面１０６で反射され、偏光ビームスプリッタ１０５より射出する。一方、発光ダイオードのアレイ１０２からのＰ偏光光に統一された光束は偏光ビームスプリッタ１０５の偏光分離面１０６を透過して、発光ダイオードアレイ１０１を射出したＳ偏光光と合流する。
【００３０】
ここで、発光ダイオードとしては、発光素子としてＧａＰ系やＧａＡｓＰ系、ＧａＡｌＡｓ系の材料であって、通常、発光素子からの光を射出するレンズ面を有する、光を透過する熱硬化製樹脂で封止されている。このレンズを所定の形状とし、射出する光束に強い平行性を持たせたものを使用するのが望ましい。このような発光ダイオードからの光束を平行化する技術は、従来技術として周知のものを利用すればよい。
【００３１】
また、偏光変換手段１０３、１０４としては、図６および図７に示すような複数の偏光ビームスプリッタと反射素子そして１／２波長板とから構成されるものを用いることができる。偏光変換手段１０３、１０４は、後に光束を合成する偏光ビームスプリッタ１０５の偏光分離合成の特性に合わせるために、偏光変換手段１０３はＳ偏光光に、偏光変換手段１０４はＰ偏光光にそれぞれ偏光統一されるよう１／２波長板を配置する位置が異なっている。
【００３２】
すなわち、図６では、発光ダイオード６０１からのランダム偏光光のうち、偏光分離面６０４を透過したＰ偏光成分の光はそのまま偏光ビームスプリッターを射出する光束となる（６０２）。偏光分離面６０４を反射したＳ偏光成分の光はたとえば反射ミラーの処理が施された反射面６０６により反射した後、１／２波長板６０５で偏光が変換されたＰ偏光光として射出する（６０３）。
【００３３】
また、図７に示すように、１／２波長板７０５の配置位置を変えると、偏光分離面７０４を透過したＰ偏光成分の光は、１／２波長板７０５で偏光が変換されたＳ偏光光として射出する（７０２）。偏光分離面７０４を反射したＳ偏光成分の光は反射ミラーの処理が施された反射面７０６により反射した後、そのまま偏光ビームスプリッターを射出する光束となる（７０３）。よって、射出光束７０２、７０３をＳ偏光光に偏光統一することができる。
【００３４】
Ｐ偏光光とＳ偏光光に偏光統一された発光ダイオードアレイ１０１および１０２からの光束を合成する偏光ビームスプリッターとしては、例えば光学硝子からなる、どちらか一方の斜面に誘電体多層膜が形成されている２つの直角プリズムを張り合わせた、ランダム偏光光を可視光波長域についてほぼ１：１の割合に偏光分離する一般的な構成のものを使用すればよい。偏光ビームスプリッタ１０５により光源の発光ダイオードアレイからの光束を合成しているので、発光ダイオードアレイ１０１および１０２を構成する発光ダイオードは、Ｒ、Ｇ、Ｂのどの発光色でも配置可能である。すなわち、偏光ビームスプリッタ１０５の入射面１０７、１０８の面積をそれぞれＳとすれば、合わせて２Ｓの面積内に、使用するＲ、Ｇ、Ｂの各発光ダイオードの光出力を勘案し、配置する発光ダイオードの数を最適なものとすることができる。
【００３５】
（第２の実施の形態）
図２は第２の実施の形態の説明図であり、第１の実施の形態で説明した光源装置の変形例を示す図である。第１の実施の形態との違いは、図２において２つの光源アレイ２０１、２０２からの光束の合成にワイヤーグリッド型の偏光素子２０５を使用したことである。
【００３６】
ワイヤーグリッド型の偏光素子としては、米ＭＯＸＴＥＫ社のＰｒｏＦｌｕｘ（登録商標）等が知られている。ＰｒｏＦｌｕｘ（登録商標）は、ガラス基板上に、幅が約６５ｎｍ、高さが１００〜２００ｎｍ、そしてピッチが１４０ｎｍ程度であるＡｌの微細なグリッドが形成されたもので、入射するランダム偏光光に対してグリッドの長手方向と直交する振動方向の偏光成分を透過させ、グリッドの長手方向と平行な振動方向の偏光成分を反射させるグリッド型の偏光素子であり、第１の実施形態における光学硝子からなる偏光ビームスプリッター１０５に比して格段に重量が軽くなるという利点がある。
【００３７】
発光ダイオードのアレイ２０１、２０２から発せられるランダム偏光光は、偏光変換手段２０３、２０４によりＰ偏光またはＳ偏光に偏光統一されてワイヤーグリッド型の偏光素子２０５に入射する。発光ダイオードのアレイ２０１からのＳ偏光光に統一された光束はワイヤーグリッド型の偏光素子２０５で反射され、射出される。一方、発光ダイオードのアレイ２０２からのＰ偏光光に統一された光束はワイヤーグリッド型の偏光素子２０５を透過して、ワイヤーグリッド型の偏光素子２０５を反射したＳ偏光光と合流する。
【００３８】
（第３の実施の形態）
図３は第３の実施の形態の説明図であり、第１の実施の形態で説明した光源装置のさらに別の変形例を示す図である。第１の実施の形態との違いは、図３において光源アレイ３０１、３０２、３０３を３つ備え、それらの光束の合成にはＶ字状の偏光分離面３０８を有する偏光ビームスプリッター３０７で構成したことである。第１の実施の形態の偏光ビームスプリッター１０５に比べて容積が半分になり小型の光源装置となる。
【００３９】
発光ダイオードのアレイ３０１、３０２、３０３から発せられるランダム偏光光は、偏光変換手段３０４、３０５、３０６によりＰ偏光またはＳ偏光に偏光統一されて偏光ビームスプリッタ３０７に入射する。発光ダイオードのアレイ３０１、３０３からのＳ偏光光に統一された光束は偏光ビームスプリッタ３０７の偏光分離面３０８で反射され、偏光ビームスプリッタ３０７より射出する。一方、発光ダイオードのアレイ３０２からのＰ偏光光に統一された光束は偏光ビームスプリッタ３０７の偏光分離面３０８を透過して、発光ダイオードアレイ３０１、３０３を射出したＳ偏光光と合流する。
【００４０】
（第４の実施の形態）
図４は第４の実施の形態の説明図であり、第１の実施の形態で説明した光源装置のさらに別の変形例を示す図である。第１〜第３の実施の形態の構成では、偏光変換手段１０３、１０４、２０３、２０４、３０４、３０５、３０６には、発光ダイオードからの略平行光束が入射することを想定しており、偏光変換後に光束径が２倍になってしまっている。このため、光源アレイに配列する発光ダイオード同士の間隔を密なものにできない。光源装置からの出力される光束を高めるためには、できるだけ多くの発光ダイオードを配備することが望ましく、そのため、図４に示す構成では光源アレイ４０１、４０２と偏光変換手段４０７、４０８の間に１対のフライアイレンズ４０３、４０４及び４０５、４０６を配置している。
【００４１】
発光ダイオード４０１、４０２からの略平行の光束は、ます発光ダイオードに近い側のフライアイレンズ４０３、４０５に入射し、収束光となって偏光変換手段４０７、４０８に近い側のフライアイレンズ４０４、４０６に向かう。フライアイレンズ４０３、４０５に入射するときの光束径に比べてフライアイレンズ４０４、４０６射出直後の光束径は小さいので、偏光変換手段４０７、４０８をフライアイレンズ４０４、４０６に隣接配置することで、発光ダイオード同士の間隔を接近させて配備することが可能になる。したがってより多くの数の発光ダイオードを使用でき、光源装置の高光出力化が可能になる。なお、本実施形態では偏光変換手段４０７、４０８を射出した光束は、発散した光束となる。このため、発散した光束に対して偏光分離特性の優れるワイヤーグリッド型の偏光素子４０９を使用して光源アレイ４０１、４０２からの光束の合成を行っている。
【００４２】
（第５の実施の形態）
図５は、第５の実施の形態として、光源装置を使用した投写型表示装置の一例を示す構成図である。第５の実施の形態では、光源装置５０９および２次元光変調器としてのＤＭＤ５０７、投写レンズ５０８そしてＤＭＤ５０７へ光束を導くためのプリズム５０６とで投写型表示装置を構成した。ここで光源装置５０９は第１の実施の形態のものと同一の構成である。なお、２次元光変調器としては、偏光に依存することなく画像形成が行えるＤＭＤが望ましい。また、最終的に得られるスクリーン上の輝度が劣るものの、１つの直線偏光成分を使用する透過型のポリシリコンＴＦＴの液晶パネルや反射型のＬｃｏｓパネル等の使用も当然可能である。
【００４３】
光源装置５０９で発光ダイオードの構成比が光出力およびホワイトバランスにおいて最適化された照明光は、プリズム５０６を介してＤＭＤ５０７を照射し、そこで変調された画像が投写レンズ５０８により不図示スクリーン上に拡大投写される。ここで光源装置５０９からの光束は、Ｐ偏光光およびＳ偏光光が混在した照明光束としてＤＭＤ５０７に到達する。光源装置５０９はアレイを構成する各色の発光ダイオードの配備数はホワイトバランスを考慮して所定の数に最適化されてＤＭＤ５０７の照明光として利用されるので、光利用効率の高い明るく演色性の優れた投写画像を得ることができる。
【００４４】
第５の実施形態では、投写型表示装置の光源装置５０９として第１の実施形態で説明したものを使用したが、代わりに第２から第４の実施形態で説明した光源装置を使用した投写型表示装置も実現可能である。
【００４５】
【発明の効果】
以上の説明からも明らかなように、本発明は、光源からの光を２次元光変調器に照射する光源装置と、２次元光変調器の画像を投写レンズにより拡大表示する投写型表示装置において、光源には赤、青、緑の発光色を呈する複数の発光ダイオードをアレイ状に配備して、光源からの光を偏光ビームスプリッターで合成することを特徴としており、光源アレイとして配備する発光ダイオードの数は任意の比率とすることができるので、現状のように発光色の違いにより光出力が異なる発光ダイオードであっても、発光ダイオードの発光素子固有の発光効率を考慮した上でホワイトバランスの良い、しかも光利用効率の高い光源装置及び投写型表示装置を提供することが可能になる。
【００４６】
請求項１に係る発明では、クロスダイクロイックプリズムを使用した光源装置より発光ダイオードの配備が有利になり、理想的なホワイトバランスと、高い光利用効率を実現し、またランダム偏光である発光ダイオードからの光束を偏光統一してさらなる光利用効率の向上を可能にする。
【００４７】
請求項２に係る発明では、より軽量化することを可能にする。
【００４８】
請求項３に係る発明では、より小型化することを可能にする。
【００４９】
請求項４に係る発明では、発光ダイオードをより密に配置することを可能にする。
【００５０】
請求項５に係る発明では、クロスダイクロイックプリズムを使用した光源装置より発光ダイオードの配備が有利になり、理想的なホワイトバランスと、高い光利用効率を実現し、またランダム偏光である発光ダイオードからの光束を偏光統一してさらなる光利用効率の向上を可能にし、さらに、より明るく演色性の優れた投写画像を得ることを可能にする。
【００５１】
請求項６に係る発明では、より軽量化され、より明るく演色性の優れた投写画像を得ることを可能にする。
【００５２】
請求項７に係る発明では、より小型化され、より明るく演色性の優れた投写画像を得ることを可能にする。
【００５３】
請求項８に係る発明では、発光ダイオードをより密に配置することを可能にし、より明るく演色性の優れた投写画像を得ることを可能にする。
【図面の簡単な説明】
【図１】本発明の第１の実施の形態を説明するための光源装置のブロック図である。
【図２】本発明の第２の実施の形態を説明するための光源装置のブロック図である。
【図３】本発明の第３の実施の形態を説明するための光源装置のブロック図である。
【図４】本発明の第４の実施の形態を説明するための光源装置のブロック図である。
【図５】本発明の第５の実施の形態を説明するための、光源装置５０９を用いた投写型表示装置の構成を示すブロック図である。
【図６】Ｐ偏光光として射出する偏光変換手段を説明するための図である。
【図７】Ｓ偏光光として射出する偏光変換手段を説明するための図である。
【図８】クロスダイクロイックプリズム８０７を使用した光源装置を説明するための図である。
【図９】クロスダイクロイックプリズム９０１の外観図である。
【符号の説明】
１０１、１０２、２０１、２０２、３０１〜３０３、４０１、４０２、５０１、５０２、８０１〜８０３  光源アレイ
１０３、１０４、２０３、２０４、３０４〜３０６、４０７、４０８、５０３、５０４、８０４〜８０６  偏光変換手段
１０５、３０７、５０５、８０９  偏光ビームスプリッター
１０６、３０８  偏光分離面
１０７、１０８  偏光ビームスプリッター入射面
２０５、４０９  ワイヤーグリッド型の偏光素子
４０３、４０４、４０５、４０６  フライアイレンズ
５０６  プリズム
５０７  ＤＭＤ
５０８  投写レンズ
５０９  光源装置
８０７、９０１  クロスダイクロイックプリズム
８０８  ２次元変調器
８１０  投写レンズ
９０２  Ｒチャンネル
９０３  Ｇチャンネル
９０４  Ｂチャンネル
６０１、７０１  発光ダイオード
６０２、７０２  偏光ビームスプリッター透過光
６０３、７０３  偏光ビームスプリッター反射光
６０４、７０４  偏光分離面
６０５、７０５  １／２波長板
６０６、７０６  反射面
【図１】
2004184777.tif 000003
【図２】
2004184777.tif 000004
【図３】
2004184777.tif 000005
【図４】
2004184777.tif 000006
【図５】
2004184777.tif 000007
【図６】
2004184777.tif 000008
【図７】
2004184777.tif 000009
【図８】
2004184777.tif 000010
【図９】
2004184777.tif 000011